(57)【要約】【課題】自動車のオートスライドドアにおいて、開作動時のドアハンドルを引く動作を解消することができるオートスライドドア用タッチスイッチ装置を提供する。【解決手段】自動車のオートスライドドアＤの開閉作動する駆動を制御する制御手段に連結させるスイッチ装置として、ドアハンドルともしくはドアハンドル近傍に設けられるタッチスイッチ機構１１と前記タッチスイッチ機構部に電気的に連結され、前記タッチスイッチ機構部を静電容量式タッチスイッチにすることで、接触したことを静電容量の変化で検出してスイッチ入力する操作をタッチにより、前記制御手段にドアを開閉させる信号を出力する信号端子とを有する。【選択図】図２
0003133182.tif 000002
【実用新案登録請求の範囲】
【請求項１】
自動車のオートスライドドアの開閉作動する駆動を制御する制御手段に連結される装置であって、ドアハンドルともしくはドアハンドル近傍に設けられるタッチスイッチ装置機構部と、前記タッチスイッチ機構部に電気的に連結され、前記タッチスイッチ機構部を静電容量式タッチスイッチにすることで、接触したことを静電容量の変化で検出してスイッチ入力する操作をタッチにより、前記制御手段にドアを開閉させる信号を出力する端子とを有するオートスライドドア用タッチスイッチ装置。
【請求項２】
前記タッチスイッチ機構部の静電容量式タッチスイッチのタッチ電極と、ドアハドル一端には、防水されるように透明の樹脂を塗付したドアハンドルメッキカバーとを係合する請求項１に記載のオートスライド用タッチスイッチ装置。
【考案の詳細な説明】
【技術分野】
【０００１】本考案は自動車のオートスライドドアを外部から開閉させるためのスイッチに関する。
【背景技術】
【０００２】自動車のオートスライドドアは、モーター等の駆動手段により自動的にドアが開閉するものである。このオートスライドドアの駆動手段の制御装置に電気信号が送られ、これにより駆動手段が作動してスライドドアが閉じている時には開き、開いている時には閉じる動作を行う。
【考案の開示】
【考案が解決しようとする課題】
【０００３】しかし、ドアハンドルを引くのはある程度の力が必要で、子供や老人などではドアが開かないという問題がある。また、手に荷物を持っているとドアハンドルを引く動作が困難になり、荷物をおろさなければならない場合も多い。【０００４】本考案は、このような問題に鑑みて、自動車のオートースライドドアにおいて、開作動時のドアハンドルを引く動作を解消することができるオートスライドドア用タッチスイッチ装置を提供することを課題とする。
【課題を解決するための手段】
【０００５】請求項１に記載の考案は、自動車のオートスライドドアを開閉させる信号を発生させるスイッチ装置であって、ドアハンドルともしくはドアハンドル近傍に設けられるタッチスイッチ機構部と前記タッチスイッチ機構部に電気的に連結され、前記タッチスイッチ機構部を静電容量式タッチスイッチにすることで、接触したことを静電容量の変化で検出してスイッチ入力する操作をタッチにより、前記制御手段にドアを開閉させる信号を出力する信号端子とを有するオートスライドドア用タッチスイッチ装置である。【０００６】請求項２に記載の考案は、前記オートスライドドア用タッチスイッチ装置において、前記タッスイッチ機構部の静電容量式のタッチ電極と、ドアハンドル一端には、防水されるように透明の樹脂を塗付したドアハンドルメッキカバーとを係合するものである。
【考案効果】
【０００７】請求項１に記載の考案は、自動車のオートスライドドアを開閉させる信号を発生させるスイッチ機構部を静電容量式タッチスイッチにすることで、接触したことを静電容量の変化で検出してスイッチ入力をタッチによって操作するようにしたものである。これにより、こども等の力のない者でも容易にタッチすることができ、また、荷物を持っていても、タッチ動作は簡単に行うことができるので、荷物をもった者も開閉動作を容易に行うことができ、機械的動作が不用である。
【０００８】請求項２に記載の考案は、タッチスイッチ機構部の静電容量式タッチスイッチのタッチ電極と、ドアハンドル一端に防水されるように透明の樹脂で塗付したドアハンドルメッキカバーとを係合するものである。ドアハンドルメッキカバーを樹脂で塗付することで、雨や洗車等で車の外面が濡れてもスイッチ機構部が濡れることなく、また、プラスチックや手荷物等の静電容量の少ないものが触れても、人体が持つ静電気に対して完全に保護されるので、前記静電容量式タッチ電極は誤作動することなく、外からドアハンドルメッキカバーをタッチすることができる。
【考案を実施するための最良の形態】
【０００９】以下、本考案の実施形態について、図面を参照しながら説明する。図１に実施形態に係るタッチスイッチ装置を設けたオートスライドドアＤの一部拡大正面図を示し、図２にＡ−Ａ拡大断面図を示す。オートスライドドアＤには、ドアハンドルＬが設けられ、ドアハンドル一端にはドアハンドルカバーＣとドアハンドルメッキカバーＢが設けられている。そして、ドアハンドルカバーＣに隠されるようにスライドドアＤとの間にタッチスイッチ機構部１１が内臓されている。ドアハンドルカバーＣに被るように、防水されるように透明の樹脂を塗付したドアハンドルメッキカバーＢが形成されている。タッチスイッチ機構部１１は、市販の静電容量式タッチスイッチであり、タッチスイッチ機構部１１にコネクターＦが連結され、コネクターＦには、スミチューブにより被覆された４本の導線が接続され、導線の先端には、図示しないギボシ端子を通じて、前記導線端子の１本は、ドアハンドルメッキカバーＢの内部から係合するように接着固定される。前記導線端子の３本は、後述するスライドドアコントロールユニットに接続される。前記端子の２本は、電源からの電力供給をうける電源端子と、マイコンと電圧を合わせるアース（ＧＮＤ）端子に接続される。前記端子の１本は、タッチスイッチのタッチによりスライドドアコントロールユニットにドアを開閉させる信号を出力する信号端子とがある。【００１０】図３に、タッチスイッチ装置を含む、オートスライドドア装置の機能ブロック図を示す。スライドドアコントロールユニット１０１は、ＲＯＭ及びＲＡＭを内臓した、マイコンＭ（マイクロコンピユーター）１０２中心に構成されており、前記スライドドアコントロールユニットには、車速を検出する車速信号１０３、パワースライドスイッチ１０４、ハンドルスイッチ装置１０５、タッチスイッチ装置１０６、スライドドア常時電源１０７、スライドドア駆動モーター１０８、ＧＮＤ（アース）１０９、ボデーコンピューター１１０等か接続される制御装置であり、マイコンＭは、記憶されたプログラムに従った動作を行う。オートスライドドア駆動モーター１０８は、ドアが開いているときはドアを閉じるように駆動し、ドアが閉じているときはドアを開けるように駆動する。運転席に設けられるパワースライドドアスイッチ１０４の操作されることによりスライドドアＤの駆動が可能となるよう構成されている。ドアハンドルイッチ装置１０５は、ドアハンドルＬを引くと作動するスイッチとスイツチ回路とから構成され、ドアハンドルＬが引かれることにより、マイコンＭ１０２に信号をおくる。タッチスイッチ装置１０６は、タッチ電極１０６ａ、静電容量スイッチ回路１０６ｂとから構成され、タッチスイッチ機構部１１のタッチ電極１０６ａにタッチされることにより、マイコンＭ１０２に信号を送る。【００１１】図４にタッチスイッチ装置１０６の回路構成を示しておく。【００１２】次にこのような構成を有するオートスライドドア駆動装置の動作について説明する。
図５にかかる動作を表すフローチャートを示す。マイコンＭ１０２は、常時、ハンドルスイッチ装置１０５およびタッチスイッチ装置１０６からの信号を待っている（ｓ１０１、ｓ１０２）。そして、タッチスイッチ装置１０６のタッチ電極のタッチされると、マイコンＭ１０２に入力され、マイコンＭ１０２はこれに応じてスライドドア駆動モーター１０８を駆動させる（ｓ１０１、ｓ１０３）。また、タッチスイッチ装置１０６の代わりに、ドアハンドルＬが引かれると、やはり、マイコンＭ１０２に信号が入力され、マイコンＭ１０２はこれに応じてスライドドア駆動モーター１０８を駆動させる（ｓ１０２、ｓ１０３）。スライドドア駆動モーターを開作動する際の動作は、車速０ｋｍ、ドアロック解除の状態でオートスライドドア駆動装置の駆動が可能となる。また、運転席に設けられるパワースライドドアスイッチ１０４およびタッチスイッチ装置１０６から駆動する信号を要する時間が設定されており、マイコンＭ１０２から駆動するまでに０．５〜０．６秒が設定されている。【００１３】以上のように、ワンタッチでスライドドアを開閉するタッチスイッチ装置をハンドルスイッチと併用で設けることにより、子供や老人など力の弱いものや、荷物をもっている者は，選択的に開作動時のドアハンドルを引く動作を解消することができるタッチスイッチ装置を利用してスライドドアを開閉することができる。
【図面の簡単な説明】
【００１４】
【図１】タッチスイッチ装置を設けたオートースライドドアの一部拡大正面図である。
【図２】図１のＡ−Ａ拡大断面図である。
【図３】タッチスイッチ装置を含む、オートースライドドア駆動装置の機能ブロック図である。
【図４】タッチスイッチ装置の回路構成を示すブロック図である。
【図５】オートースライドドア駆動装置の動作を示すフローチャートである。
【符号の説明】
【００１５】１        電源からの電力供給をうける端子
２        スライドドアコントロールユニットにドアを開閉させる信号を出力する端子
３        マイコンと電圧を合わせるアース（ＧＮＤ）端子
４        信号電極端子
１１      タッチスイッチ機構部
１０６    タッチスイッチ装置
１０６ａ  タッチ電極
１０６ｂ  静電容量スイッチ回路
Ｂ        ドアハンドルメッキカバー
Ｃ        ドアハンドルカバー
Ｄ        スライドドア
Ｆ        コネクター
Ｌ        ドアハンドル
【図１】
0003133182.tif 000003
【図２】
0003133182.tif 000004
【図３】
0003133182.tif 000005
【図４】
0003133182.tif 000006
【図５】
0003133182.tif 000007